(57)【要約】【課題】本発明は、電源コードで発生するコモンモード電流を抑制することができる電源プラグ、および、このような電源プラグを備える電力線搬送通信モデムを提供する。【解決手段】本発明の電源プラグ１は、一対の栓刃１１と、一対の栓刃１１に接続され、電力線搬送通信の周波数帯におけるコモンモードノイズを遮断するためのコモンモードチョークコイル１２とを備える。また、本発明の電力線搬送通信モデムＭは、上述の電源プラグ１と、電力線搬送通信を行うための電力線搬送通信モデム本体と、一方端が電力線搬送通信モデム本体に接続されると共に、他方端が電源プラグ１に接続される電源コード５とを備える。【選択図】図３
2008099193.tif 000002
【特許請求の範囲】
【請求項１】
一対の栓刃と、
前記一対の栓刃に接続され、２ＭＨｚ〜３０ＭＨｚの電力線搬送通信の周波数帯におけるコモンモードノイズを遮断するためのコモンモードチョークコイルとを備えること
を特徴とする電源プラグ。
【請求項２】
前記一対の栓刃と前記コモンモードチョークコイルを構成する一対の巻線とは、それぞれ一体に形成されていること
を特徴とする請求項１に記載の電源プラグ。
【請求項３】
前記コモンモードチョークコイルを構成するコアは、互いに接触されることによって閉ループを成す複数の部材から構成されること
を特徴とする請求項１または請求項２に記載の電源プラグ。
【請求項４】
請求項１ないし請求項３の何れかに記載の電源プラグと、
電力線搬送通信を行うための電力線搬送通信モデム本体と、
一方端が前記電力線搬送通信モデム本体に接続されると共に、他方端が前記電源プラグに接続される電源コードとを備えること
を特徴とする電力線搬送通信モデム。
【発明の詳細な説明】
【技術分野】
【０００１】
本発明は、電力線搬送通信を行う電気機器に好適な電源プラグに関する。そして、本発明は、このような電源プラグを備えた電力線搬送通信を行うための電力線搬送通信モデムに関する。
【背景技術】
【０００２】
近年、通信技術の進展により様々な技術分野でネットワーク化が進んでおり、建物内の様々な電気機器（電子機器を含む、以下同じ）がネットワークに接続されつつある。このネットワーク化に際し、既設の配線を利用することから新たな伝送路を布設する必要がないという利点や、そのために導入に伴う初期費用がその分低廉であり、建物の美観も損ねないという利点等から、これら電気機器に電力を供給する電力線を伝送路に利用した電力線搬送通信（Powre Line Communication、以下、「ＰＬＣ」と略記する。）が盛んに研究、開発されている。このＰＬＣは、商用電源の電力波形に商用周波数よりも高い周波数のＰＬＣの通信信号を重畳して送受信を行う通信方式である。
【０００３】
このようなＰＬＣを行う電気機器では、コモンモードノイズをカットすべく、従来、電気機器本体内のＰＬＣを行うＰＬＣモデムから電力線へ流出するコモンモード電流や電力線から流入するコモンモード電流を抑制するために、コモンモードチョークコイルが例えば特許文献１のように電気機器側に設けられていた。
【０００４】
この特許文献１に開示のＡＣインレットフィルタコネクタは、一対の入力端子部品と、アース端子部品と、コモンモードチョークコイルとを備え、前記入力端子部品は、連結絶縁部材で相互に絶縁一体化された前側入力端子部と後側入力端子部とを有し、前記アース端子部品は、前側アース端子部とコイル装着部と後側アース端子部とを有し、該コイル装着部に係合用穴部が形成されており、前記コモンモードチョークコイルは、環状磁気コアを係止用突起を形成してなるコアケース内に収納しさらにゴム製カバーを被せたコア部品に一対の巻線を巻回して構成され、前記係止用突起を前記係合用穴部に嵌合させて前記コモンモードチョークコイルを前記コイル装着部に位置決め固定して絶縁樹脂により一体形成し、樹脂形成体の前面凹部内に前記前側入力端子部及び前側アース端子部を突出させた構成を備える。このような構成によって特許文献１に開示のＡＣインレットフィルタコネクタでは、複雑な組立作業が不要な構造で、量産性が良く、小型化を図ることが可能となっている。
【特許文献１】実開平０６−０８６２８３号公報
【発明の開示】
【発明が解決しようとする課題】
【０００５】
ところで、ＰＬＣが可能な電気機器は、通常、例えば壁コンセントに電源プラグを接続して電源コードを介して電力の供給を受けている。この電源コードは、５０Ｈｚや６０Ｈｚの商用周波数の電流が流れることを前提に設計されており、また法規制もないため、一般に、平衡度が良好とは言えない実状にある。ＰＬＣでは、平衡度が悪いと、コモンモード電流によって電源コードからコモンモードノイズが発生して輻射し、他の電気機器が輻射ノイズの影響を受けてしまう。
【０００６】
特に、近年、インターネット等の高速通信に対応可能とすること等を目的としてＰＬＣに関する法規制の緩和が検討されており、従来、ＰＬＣで使用可能な１０ｋＨｚ〜４５０Ｈｚの周波数帯に加えて、より高周波数の２ＭＨｚ〜３０ＭＨｚの周波数帯の使用が検討されている。２ＭＨｚ〜３０ＭＨｚの周波数帯の通信信号を用いてＰＬＣを行う高速ＰＬＣでは、１０ｋＨｚ〜４５０ｋＨｚの周波数帯の通信信号を用いてＰＬＣを行う低速ＰＬＣよりもＰＬＣの通信信号による輻射が増大する。
【０００７】
本発明は、上述の事情に鑑みて為された発明であり、電源コードで発生するコモンモード電流を抑制することができる電源プラグを提供することを目的とする。また、このような電源プラグを備える電力線搬送通信モデムを提供することを目的とする。
【課題を解決するための手段】
【０００８】
本発明者は、種々検討した結果、上記目的は、以下の本発明により達成されることを見出した。即ち、本発明の一態様に係る電源プラグは、一対の栓刃と、前記一対の栓刃に接続され、２ＭＨｚ〜３０ＭＨｚの電力線搬送通信の周波数帯におけるコモンモードノイズを遮断するためのコモンモードチョークコイルとを備えることを特徴とする。
【０００９】
このような構成の電源プラグでは、一対の栓刃に、２ＭＨｚ〜３０ＭＨｚの電力線搬送通信の周波数帯におけるコモンモードノイズを遮断するためのコモンモードチョークコイルが接続されるので、電力線搬送通信の通信信号によって電源コードに発生するコモンモード電流が抑制可能となる。また、電源コードに接続される電力線搬送通信を行う電気機器、例えば電力線搬送通信モデムからコモンモード電流が漏洩した場合でもコモンモード電流が抑制され、例えば壁コンセントを介して建物に布設されている電力線へコモンモード電流の流出が抑制可能となる。このため、高速ＰＬＣにおける輻射を低減することができる。
【００１０】
また、上述の電源プラグにおいて、前記一対の栓刃と前記コモンモードチョークコイルを構成する一対の巻線とは、それぞれ一体に形成されていることを特徴とする。
【００１１】
この構成によれば、栓刃とコモンモードチョークコイルの巻線とが一体に形成されているので、部品点数が削減される。このため、組立が容易となり、また、組立工数が減少するため、組立コストが低減可能となる。
【００１２】
さらに、これら上述の電源プラグにおいて、前記コモンモードチョークコイルを構成するコアは、互いに接触されることによって閉ループを成す複数の部材から構成されることを特徴とする。
【００１３】
この構成によれば、コアが複数の部材から構成されているので、導体線を環状（閉ループ状）のコアに巻き回してコモンモードチョークコイルの巻線を形成するのではなく、巻き回れされた導体線にコアを挿入してコモンモードチョークコイルの巻線を形成することができる。このため、導体線を環状のコアに巻き回してコモンモードチョークコイルの巻線を形成する場合では、環状の穴部に導体線をくぐり抜けさせながらコアに巻き回す必要があるが、このような必要がないので、組立作業が容易となる。特に、栓刃と巻線と一体に形成する場合に効果的である。そして、導体線をコアに巻き回さないので、導体線の巻き回しの際にコアを損傷することもない。
【００１４】
そして、本発明の他の一態様に係る電力線搬送通信モデムは、上述の電源プラグのうちの何れかの電源プラグと、電力線搬送通信を行うための電力線搬送通信モデム本体と、一方端が前記電力線搬送通信モデム本体に接続されると共に、他方端が前記電源プラグに接続される電源コードとを備えることを特徴とする。
【００１５】
このような構成の電力線搬送通信モデムでは、電源プラグにコモンモードチョークコイルを備えるので、電力線搬送通信の通信信号によって電源コードに発生するコモンモード電流が抑制可能となる。特に、仮に電力線搬送通信モデムからコモンモード電流が電源コードへ漏洩した場合でもコモンモード電流が抑制され、例えば壁コンセントを介して建物に布設されている電力線へコモンモード電流の流出が抑制可能となる。
【発明の効果】
【００１６】
本発明に係る電源プラグおよび電力線搬送通信モデムでは、電源コードで発生するコモンモード電流を抑制することができる。
【発明を実施するための最良の形態】
【００１７】
以下、本発明に係る実施形態を図面に基づいて説明する。なお、各図において同一の符号を付した構成は、同一の構成であることを示し、その説明を省略する。
【００１８】
図１は、実施形態における電力線搬送通信モデムの構成を示す外観図である。図２は、実施形態における電力線搬送通信モデムの回路を示す回路ブロック図である。図３は、実施形態における電源プラグの構成を示す分解斜視図である。
【００１９】
図１において、本発明に係る実施形態の電力線搬送通信モデムＭは、商用電源の電力波形に商用周波数よりも高い周波数、例えば２ＭＨｚ〜３０ＭＨｚのＰＬＣの通信信号を重畳して送信すると共に、この電力波形からこの高い周波数のＰＬＣの通信信号を分離して受信するＰＬＣを行うためのモデムであり、電源プラグ１と、電力線搬送通信モデム本体（以下、「ＰＬＣモデム本体」と略記する。）３と、一方端がＰＬＣモデム本体３に接続されると共に他方端が電源プラグ１に接続される電源コード５とを備える。
【００２０】
ＰＬＣモデム本体３は、略箱形のモデム本体ケース３１と、ＰＬＣを行うためのモデムの回路ＰＭＣが搭載されたモデム回路基板３２とを備えて構成される。
【００２１】
モデム本体ケース３１内には、モデム回路基板３２が収納され、モデム本体ケース３１の一面（例えば左側面）には、電源コード５が引き込まれ、他面（例えば右側面）には、図略の通信ケーブル（例えばＣＡＴ５のＬＡＮケーブルやＣＡＴ６のＬＡＮケーブル等）の先端に付設されているコネクタ（例えばＲＪ−４５のモジュラプラグ）が挿抜自在に接続される受け側コネクタ（上記例ではＲＪ−４５のモジュラジャック）３２８（図２参照）の差込口３２８ａが露出している。
【００２２】
ＰＬＣを行うためのモデムの回路ＰＭＣは、図２に示すように、例えば、コモンモードチョークコイル３２１と、結合部３２２と、電源部３２３と、送受信部３２４と、モデム部３２５と、制御部３２６と、ＬＡＮコントローラ部３２７と、受け側コネクタ３２８と表示部３２９とを備えて構成される。引き込まれた電源コード５の一対の導体線に接続する一対の電路には、電力線搬送通信の周波数帯におけるコモンモードノイズを遮断するためのコモンモードチョークコイル３２１を介して結合部３２２と電源部３２３とが接続される。このコモンモードチョークコイル３２１は、上記特許文献１に記載のコモンモードチョークコイルに相当するものである。
【００２３】
結合部３２２は、商用電源周波数成分をカットするコンデンサＣ１、Ｃ２及び絶縁トランスＴを備え、絶縁トランスＴの１次側がコンデンサＣ１、Ｃ２を介して上記一対の電路に接続され、絶縁トランスＴの２次側が送受信部３２４に接続されている。
【００２４】
送受信部３２４は、絶縁トランスＴの２次側に接続されることで、建物に布設されている電力線との間でＰＬＣの通信信号を送受信する回路であり、モデム部３２５と接続されている。送受信部３２４は、受信回路３２４１と送信回路３２４２とを備えて構成され、受信回路３２４１は、例えば、絶縁トランスＴの２次側に接続され、ＰＬＣの通信周波数帯域を透過するバンドパスフィルタと、バンドパスフィルタの出力を増幅してモデム部３２５へ出力する増幅器とを備えて構成され、送信回路３２４２は、例えば、モデム部３２５に接続され、ＰＬＣの通信周波数帯域を透過するバンドパスフィルタと、バンドパスフィルタの出力を増幅して絶縁トランスＴの２次側へ出力する増幅器とを備えて構成される。
【００２５】
モデム部３２５は、送受信部３２４からのＰＬＣの通信信号Ｒｘからデータ信号を復調すると共に送信データをＰＬＣの通信信号Ｔｘに変調する回路であり、制御部３２６に接続されている。
【００２６】
ＰＣＬを行う上では、このような結合部３２２、送受信部３２４及びモデム部３２５が少なくとも必要とされ、商用電源の電力波形に商用周波数よりも高い周波数のＰＬＣの通信信号が重畳されて送信されると共に、この電力波形からこの高い周波数のＰＬＣの通信信号が分離されて受信される。
【００２７】
また、本実施形態の回路ＰＭＣには、受け側コネクタ３２８に接続される通信ケーブルを介して他の通信機器（例えば通信機能付きの家電、住設機器およびコンピュータ等）との間で例えば１００ＢＡＳＥ−ＴＸなどの規格に準拠してデータ伝送を行うためのＬＡＮコントローラ３２７が含まれており、ＬＡＮコントローラ３２７は、制御部３２６に接続されている。
【００２８】
制御部３２６は、例えば、マイクロプロセッサ及びその周辺回路を備えて構成され、ＰＬＣを行うために、送受信部３２４、モデム部３２５及びＬＡＮコントローラ３２７等を制御する回路である。また、制御部３２６は、データ伝送中であることを知らせるために、表示部３２９における例えばＬＥＤ等の表示素子の発光を制御する。
【００２９】
電源部３２３は、電源プラグ１を例えば壁コンセントに差込接続することで接続される電力線から電源コード５を介して給電される商用交流電源から直流電源を生成し、例えば、送受信部３２４、モデム部３２５、ＬＡＮコントローラ３２７、制御部３２６および表示部３２９等の各回路へ、これら各回路を動作させるために、直流電力を供給する回路である。電源部３２３は、例えば、ＰＬＣの通信周波数帯に対して高インピーダンスになるインピーダンスアッパ回路３２３１と、ＡＣ−ＤＣコンバータからなる電源回路３２３２とを備えて構成される。
【００３０】
電源プラグ１は、電源コード５の平衡度を改善するために、一対の栓刃と電源コード５との間に、ＰＬＣの周波数帯におけるコモンモードノイズを遮断するためのコモンモードチョークコイルを備える。電源プラグ１は、例えば、図３に示すように、一対の栓刃１１と、コモンモードチョークコイル１２と、プラグ基板１３と、プラグケース１４とを備える。
【００３１】
プラグケース１４は、樹脂製であり、上部ケース１４１と、下部ケース１４２とを備える。上部ケース１４１の上面の周囲には、側壁が垂直下方に垂設されている。下部ケース１４２の下面の周囲には、側壁が垂直上方に立設されている。上部ケース１４１と下部ケース１４２とが組み合わされることによって、上部ケース１４１における上面および側壁ならびに下部ケース１４２における下面および側壁で、一対の栓刃１１、コモンモードチョークコイル１２およびプラグ基板１３等を収納する収納空間が形成される。そして、下部ケース１４２の一側面（例えば左側面）の側壁には、栓刃１１の一部がプラグケース１４の外部に露出可能なように、一対の栓刃１１、１１に対応して一対の栓刃用溝１４２１、１４２１が形成されており、そして、この一側面に対向する側面（例えば右側面）の側壁には、電源コード５をプラグケース１４から引き出し可能なようにコード用溝１４２２が形成されている。
【００３２】
プラグ基板１３は、下部ケース１４２の側壁内側形状よりやや小さい相似形状の輪郭を有した絶縁材料の板状体である。プラグ基板１３の一方端には、一対の栓刃１１が嵌合される一対の嵌合溝１３ａ、１３ａが切り込まれて形成されており、また、コモンモードチョークコイルを構成する１組の巻線１２１、１２１の各両端が挿通される貫通孔１３ｂ、１３ｃ、１３ｂ、１３ｃが穿設されている。
【００３３】
コモンモードチョークコイル１２は、２ＭＨｚ〜３０ＭＨｚのＰＬＣの周波数帯において比較的高いインピーダンス特性（例えば１ｋΩ以上）を有してコモンモードノイズを遮断するものであり、例えばフェライト等の磁性材料から成る閉ループ状のコア１２２と、コア１２２に巻き回された１組の導電材料から成る巻線１２１、１２１とを備えて構成される。図３に示す例では、コア１２２は、平面視にて、略口字形状をしているが、ドーナツ形状であってもよい。巻線１２１は、絶縁材料でコーティング（被覆）されており、ＰＬＣモデム本体３に給電する際の電流が流れても発熱を低く抑える太さの導線が用いられている。
【００３４】
一対の栓刃１１、１１がプラグ基板１３の一対の嵌合溝１３ａ、１３ａにそれぞれ嵌合されることによって位置決めされて、一対の栓刃１１、１１がプラグ基板１３の一方端に配置される。コモンモードチョークコイル１２における１組の巻線１２１、１２１の各両端が貫通孔１３ｂ、１３ｃ、１３ｂ、１３ｃにそれぞれ挿通されることによって位置決めされて、コモンモードチョークコイル１２がプラグ基板１３の一方面（部品面）に配置される。貫通孔１３ｂ、１３ｂを挿通した巻線１２１、１２１の一方端は、プラグ基板１３の他方面（半田面）側で外側に折り曲げられて、嵌合溝１３ａ、１３ａに嵌合されている一対の栓刃１１、１１にそれぞれ半田付け等によって接続される。また、貫通孔１３ｃ、１３ｃを挿通した巻線１２１、１２１の他方端は、プラグ基板１３の他方面（半田面）側で外側に折り曲げられて、電源コード５に半田付け等によって接続される。そして、一対の栓刃１１、１１が栓刃用溝１４２１、１４２１に嵌め込まれると共に、電源コード５がコード用溝１４２２に嵌め込まれて、上部ケース１４１が下部ケース１４２に組み合わせられる。こうして一対の栓刃１１、コモンモードチョークコイル１２およびプラグ基板１３がプラグケース１４に固定されて収納される。
【００３５】
このように電源プラグ１は、一対の栓刃１１、１１に、ＰＬＣの周波数帯におけるコモンモードノイズを遮断するためのコモンモードチョークコイル１２が接続されているので、ＰＬＣの通信信号によって電源コード５に発生するコモンモード電流が抑制可能となる。また、電源コード５に接続されるＰＬＣモデム本体３からコモンモード電流が漏洩した場合でもコモンモード電流が抑制され、例えば壁コンセントを介して建物に布設されている電力線へコモンモード電流の流出が抑制可能となる。このため、高速ＰＬＣにおける輻射を低減することができる。
【００３６】
また、上述の実施形態において、電源プラグ１に代えて、栓刃とコモンモードチョークコイルの巻線とが一体に形成されている電源プラグ２が用いられてもよい。
【００３７】
図４は、実施形態における他の電源プラグの構成を示す斜視図である。図４（Ａ）は、栓刃とコモンモードチョークコイルとを示す斜視図であり、図４（Ａ）は、栓刃とコモンモードチョークコイルを下部ケースに装着した様子を示す斜視図である。
【００３８】
例えば、１枚の金属板（合金を含む）から展開状態で栓刃２１１ａと巻線２１１ｂとなる導体線とが打ち抜き形成され、図４（Ａ）に示すように、前記導体線は、螺旋状に巻かれ、コモンモードチョークコイル２１を構成する巻線２１１ｂとなる。このように、一対の栓刃２１１ａ、２１１ａとコモンモードチョークコイル２１を構成する一対の巻線２１１ｂ、２１１ｂとは、それぞれ一体に形成されている。また、このような金属板を打ち抜き形成された導体線から成る巻線２１１ｂ、２１１ｂの断面形状は、四角形となる。
【００３９】
そして、コモンモードチョークコイル２１を構成するコア２１２は、互いに接触されることによって閉ループを成す複数の部材、図４に示す例では２個の第１および第２コア部材２１２ａ、２１２ｂから構成される。第１コア部材２１２ａは、例えばフェライト等の磁性材料から成り、両アーム部の長さが比較的短い略コ字形状となっている。第２コア部材２１２ｂは、例えばフェライト等の磁性材料から成り、両アーム部の長さが比較的長い略コ字形状となっている。なお、本実施形態では、コア２１２は、２個の部材から成るが、組立作業の容易性の観点から、３個以上の部材から成っていてもよい。
【００４０】
そして、図４（Ａ）に示すように、第２コア部材２１２ｂの略コ字形状における一対のアーム部が一対の巻線２１１ｂ、２１１ｂにそれぞれ挿通され、第２コア部材２１２ｂの略コ字形状における一対のアーム部の両先端が第１コア部材２１２ａの略コ字形状における一対のアーム部の両先端に接触される。これによって、第１コア部材２１２ａと第２コア部材２１２ｂとが閉ループを成すように互いに接触され、一対の栓刃２１１ａ、２１１ａが一体に構成されたコモンモードチョークコイル２１が形成される。
【００４１】
下部ケース２４２は、樹脂製であり、その下面の周囲には、側壁が垂直上方に立設されている。下部ケース２４２の一側面（例えば左側面）の側壁には、栓刃２１１ａの一部が下部ケース２４２の外部に露出可能なように、一対の栓刃２１１ａ、２１１ａに対応して一対の栓刃用溝２４２１、２４２１が形成されており、そして、この一側面に対向する側面（例えば右側面）の側壁には、電源コード５を下部ケース２４２から引き出し可能なようにコード用溝２４２２が形成されている。そして、下部ケース２４２の下面には、接触して閉ループを成した第１および第２コア部材２１２ａ、２１２ｂが挟み込まれる間隔で一対の係合突起２４２ａ、２４２ａが突設されている。係合突起２４２ａの先端には、互いに内側に向くように返し爪部がそれぞれ設けられている。
【００４２】
一対の栓刃２１１ａ、２１１ａが一体に構成されたコモンモードチョークコイル２１は、互いに離間するように一対の係合突起２４２ａ、２４２ａを押し広げながら下部ケース２４２の下面へ向けて押し込まれ、閉ループを成した第１および第２コア部材２１２ａ、２１２ｂが一対の係合突起２４２ａ、２４２ａによって挟み込まれて、下部ケース２４２の下面に配置され、一対の係合突起２４２ａ、２４２ａの返し爪部によって固定される。第１および第２コア部材２１２ａ、２１２ｂは、一対の係合突起２４２ａ、２４２ａによって挟み込まれることによって互いに密着するように接触され、閉磁界がより効果的に形成される。コモンモードチョークコイル２１の一対の巻線２１１ｂ、２１１ｂには、例えば半田付けやねじ留め等によって電源コード５が接続される。そして、このようなコモンモードチョークコイル２１が配置された下部ケース２４２と、上面の周囲に側壁が垂直下方に垂設されている樹脂製の図略の上部ケースとが組み合わされることによって、電源プラグ２が形成される。
【００４３】
このような構成の電源プラグ２では、栓刃２１１ａと巻線２１１ｂとが一体に形成されて栓刃付きのコモンモードチョークコイル２１を構成しているので、部品点数が削減される。このため、組立が容易となり、また、組立工数が減少するため、組立コストが低減可能となる。
【００４４】
また、このような構成の電源プラグ２では、巻線２１１ｂの断面形状が四角形（矩形）であるので、断面形状が円形の一般的な巻線よりも断面積が大きくなる。このため、この電源プラグ２は、同じ発熱量である場合により多くの電流を巻線に流すことができ、数アンペアの定格電流が流れる電源プラグに好適である。
【００４５】
また、このような構成に電源プラグ２では、コアが第１および第２コア部材２１２ａ、２１２ｂから構成されているので、導体線を環状のコアに巻き回してコモンモードチョークコイルの巻線を形成するのではなく、巻き回れされた導体線に第２コア部材２１２ｂを挿通してコモンモードチョークコイル２１の巻線２１２ｂ、２１２ｂを形成することができる。このため、導体線を環状のコアに巻き回してコモンモードチョークコイルの巻線を形成する場合では、環状の穴部に導体線をくぐり抜けさせながらコアに巻き回す必要があるが、このような必要がないので、組立作業が容易となる。特に、電源プラグ２のように、栓刃２１１ａと巻線２１１ｂとが一体に形成されている場合に効果的である。そして、導体線を第２コア２１２ｂに巻き回さないので、導体線の巻き回しの際に第２コア２１２ｂを損傷することもない。
【００４６】
そして、これら上述の実施形態では、電源プラグ１は、一対の栓刃１１、１１がコモンモードチョークコイル１２を介して電源コード５に接続されるように構成されたが、一対の刃受けをさらに設け、一対の栓刃１１、１１がコモンモードチョークコイル１２を介して前記一対の刃受けに接続されるように電源プラグが構成されてもよい。あるいは、電源プラグ２は、一対の栓刃２１１ａ、２１１ａと一体に形成されたコモンモードチョークコイル２１を構成する巻線２１１ｂ、２１１ｂが電源コード５に接続されるように構成されたが、一対の刃受けをさらに設け、一対の栓刃２１１ａ、２１１ａと一体に形成されたコモンモードチョークコイル２１を構成する巻線２１１ｂ、２１１ｂが前記一対の刃受けに接続されるように電源プラグが構成されてもよい。
【００４７】
図５は、実施形態における他の電源プラグの構成を示す斜視図である。このような構成の電源プラグ７では、図５に示すように、略箱形の樹脂製のケース７４内に、一対の栓刃１１、１１と、一対の栓刃１１、１１に接続されるコモンモードチョークコイル１２と、コモンモードチョークコイルに接続される図略の一対の刃受けとが収納され、ケース７４の一面（例えば左側面）から一対の栓刃１１、１１の一部が露出し、他面（例えば右側面）には、前記図略の一対の刃受けに接続すべく他の一対の栓刃が挿入される栓刃挿入口７４ａ、７４ａが穿設されている。あるいは、このような構成の電源プラグ７では、図５に示すように、略箱形の樹脂製のケース７４内に、一対の栓刃２１１ａ、２１１ａと一体に形成されたコモンモードチョークコイル２１を構成する巻線２１１ｂ、２１１ｂと、巻線２１１ｂ、２１１ｂに接続される図略の一対の刃受けと、巻線２１１ｂ、２１１ｂが巻き回されているコア２１２とが収納され、ケース７４の一面（例えば左側面）から一対の栓刃２１１ａ、２１１ａの一部が露出し、他面（例えば右側面）には、前記図略の一対の刃受けに接続すべく他の一対の栓刃が挿入される栓刃挿入口７４ａ、７４ａが穿設されている。
【００４８】
このような構成の電源プラグ７では、例えばコモンモード電流を抑制する機能のない通常の電源プラグの栓刃が電源プラグ７の栓刃挿入口７４ａに挿入され、電源プラグ７に接続されることによって、このような通常の電源プラグが、ＰＬＣの通信信号によって電源コードに発生するコモンモード電流を抑制することが可能となる。また、電源コードに接続されるＰＬＣモデムからコモンモード電流が漏洩した場合でもコモンモード電流が抑制され、このような通常の電源プラグが、例えば壁コンセントを介して建物に布設されている電力線へコモンモード電流の流出を抑制することが可能となる。
【００４９】
なお、上述の実施形態における電源プラグ１、２では、一対の栓刃１１、２１１ａおよびコモンモードチョークコイル１２、２１がケースに収納されたが、例えば樹脂等によってモールドされてもよい。
【００５０】
本発明を表現するために、上述において図面を参照しながら実施形態を通して本発明を適切且つ十分に説明したが、当業者であれば上述の実施形態を変更及び/又は改良することは容易に為し得ることであると認識すべきである。従って、当業者が実施する変更形態又は改良形態が、請求の範囲に記載された請求項の権利範囲を離脱するレベルのものでない限り、当該変更形態又は当該改良形態は、当該請求項の権利範囲に包括されると解釈される。
【図面の簡単な説明】
【００５１】
【図１】実施形態における電力線搬送通信モデムの構成を示す外観図である。
【図２】実施形態における電力線搬送通信モデムの回路を示す回路ブロック図である。
【図３】実施形態における電源プラグの構成を示す分解斜視図である。
【図４】実施形態における他の電源プラグの構成を示す斜視図である。
【図５】実施形態における他の電源プラグの構成を示す斜視図である。
【符号の説明】
【００５２】
Ｍ  電力線搬送通信モデム
ＰＭＣ  回路
１、２、７  電源プラグ
３  電力線搬送通信モデム本体
５  電源コード
１１、２１１ａ  栓刃
１２、２１、３２１  コモンモードチョークコイル
１２１、２１１ｂ  巻線
１２２、２１２  コア
２１２ａ  第１コア部材
２１２ｂ  第２コア部材
２４２ａ  係合突起
【図１】
2008099193.tif 000003
【図２】
2008099193.tif 000004
【図３】
2008099193.tif 000005
【図４】
2008099193.tif 000006
【図５】
2008099193.tif 000007